(57)【要約】【課題】積み重ねて載置された複数の書籍に取り付けられたＩＣタグの情報を精度良く読み取るＩＣタグ読取書込装置および製本加工装置を提供する。【解決手段】同一の位置にＩＣタグ１５０を取り付けた本１００を、コンベア１３０上に積み重ねて搬送し、積み重ねられた本１００のすべてのＩＣタグ１５０の情報を同時にＩＣタグ・リーダ/ライタ１１０で読み書きする製本加工ラインにおいて、コンベア１３０が成す面と鋭角を成すように設置された傾斜突き当てガイド１２０に積み重ねられた本１００を突き当てることにより、各本１００（１００−１〜１００−５）をコンベア１３０の進行方向にずらし、ずれて積み重なった状態でＩＣタグ・リーダ/ライタ１１０により情報の読取書込を行う。【選択図】図１
2008158933.tif 000002
【特許請求の範囲】
【請求項１】
所定の同一位置にＩＣタグが取り付けられ、積み重ねて載置された複数の被検査物の情報を読み書きするＩＣタグ読取書込装置であって、
ＩＣタグ・リーダ/ライタと、
前記複数の被検査物を載置し、前記ＩＣタグ・リーダ/ライタに搬送するコンベアと、
前記ＩＣタグ・リーダ/ライタの近傍に設けられ、前記コンベアの成す平面に対して傾きを持ち、前記複数の披検査物を、前記傾きによって相互にずらし積み重ねて載置する突き当て板と、
を有することを特徴とするＩＣタグ読取書込装置。
【請求項２】
前記被検査物は、書籍類であることを特徴とする請求項１記載のＩＣタグ読取書込装置。
【請求項３】
所定の同一位置にＩＣタグが取り付けられ、積み重ねて載置された複数の被検査物の情報を読み書きするＩＣタグ読取書込方法であって、
前記複数の被検査物を載置しコンベア上を搬送する工程と、
積み重ねて載置された前記複数の被検査物を、突き当て板によって相互にずらし積み重ねて載置する工程と、
相互にずらして積み重ねられた前記複数の被検査物に取り付けられたＩＣタグに対して情報の読み取り/書き込みを行う工程を有することを特徴とするＩＣタグ読取書込方法。
【請求項４】
所定の同一位置にＩＣタグを取り付け、製本され、積み重ねて載置された印刷物の個々のＩＣタグに対して情報の読み書きを行い、所定の冊数ずつ束ねて包装する製本加工装置であって、
前記ＩＣタグに対して情報の読み取り/書き込みを行うＩＣタグ・リーダ/ライタと、
前記印刷物を複数積み重ねて載置し前記ＩＣタグ・リーダ/ライタに搬送するコンベアと、
前記ＩＣタグ・リーダ/ライタの近傍に設けられ、前記コンベアの成す平面に対して傾きを持ち、複数積み重ねて載置された前記印刷物を、前記傾きによって相互にずらし積み重ねて載置する突き当て板と、
を有することを特徴とする製本加工装置。
【請求項５】
所定の同一位置にＩＣタグを取り付け、製本され、積み重ねて載置された印刷物の個々のＩＣタグに対して情報の読み書きを行い、所定の冊数ずつ束ねて包装する製本加工方法であって、
前記複数の印刷物を積み重ねて載置しコンベア上を搬送する工程と、
積み重ねて載置された前記複数の印刷物を、突き当て板によって相互にずらし積み重ねて載置する工程と、
相互にずらして積み重ねられた前記複数の印刷物に取り付けられた個々のＩＣタグに対して情報の読み取り/書き込みを行う工程を有することを特徴とする製本加工方法。
【発明の詳細な説明】
【技術分野】
【０００１】
本発明は、積み重ねて載置された製本加工中の書籍等の複数の被検査物に取り付けられたＩＣタグに対して情報の読み書きを行うＩＣタグ読取書込装置および製本加工装置に関する。
【背景技術】
【０００２】
無線技術の進歩に伴い、無線技術を用いた識別方法であるＲＦＩＤ（Radio
Frequency Identification）を利用した商品管理システムが開発され、ＩＣタグやＩＣラベルが使用され始めている。ＩＣタグは、外部のＩＣタグ・ライタとの無線通信により商品等に関する情報が記録され、外部のＩＣタグ・リーダとの無線通信により、ＩＣタグ内に記録されている情報が読み出される。ＩＣタグに記録される情報により、商品の品質管理や在庫管理、販売管理、物流管理等が行うことが可能になる。
【０００３】
書籍においてもＩＣタグの導入が進んでおり、コミック等の並製本にＩＣタグを取り付け、流通管理を行う実証実験が行われている。ＩＣタグによって書籍の管理を行う場合には、ＩＣタグ情報の読み取り/書き込みに高い精度が要求され、積み重ねて載置されるような場合であっても正しくＩＣタグを読み取る必要がある。これに対して、ＩＣタグ情報の読み取りを高精度に行えるようにするためのＩＣタグ付き本（特許文献１）や、図書館におけるＩＣタグスキャンシステム（特許文献２）が提案されている。
【特許文献１】特開２００６−２９７７６５号公報
【特許文献２】特開２００５−３５４５７６号公報
【発明の開示】
【発明が解決しようとする課題】
【０００４】
コミック等の並製本の場合、製本工程中の三方裁断のために例えば５冊重ねてコンベア上を搬送するのが一般的である。また、量産加工を行うため、ＩＣタグは所定の同一位置に取り付けられるのが普通である。
このように同一位置にＩＣタグが取り付けられ、積み重ねて載置された書籍をＩＣタグ・リーダ/ライタに通した場合、ＩＣタグが相互に干渉し、共振周波数に変化が生じ、ＩＣタグの読み取り率が低下するという問題がある。
【０００５】
図４は、ＩＣタグ１の構造例を示す図である。同図（ａ）は、ＩＣタグ１の平面図、同図（ｂ）は、ＩＣタグ１をＡ−Ａ方向から見た場合のＩＣタグの断面図である。
ＩＣタグ１内部には、アンテナパターン１１およびＩＣチップ１５、接点１３、導通路１７等が形成されている。アンテナパターン１１はコイル状であり、コイルの一端（内側）は接点１３ｂに接続され、他端（外側）は導通路１７を介して接点１３ａに接続されている。
また、ＩＣチップ１５は、無線送受信部と制御部および情報を蓄積するための記憶部を備えている。
【０００６】
上記のアンテナパターン１１、ＩＣチップ１５、接点１３、導通部１７からなるＩＣタグ１の主要部は、インレット２５として事前に製造され、ＩＣタグ１の製造時には、ベースフィルム２９にインレット２５および離型紙３３、上紙２１を貼り合わせることにより、ＩＣタグ１が形成される。
離型紙３３は、ＩＣタグ１使用時に剥がして商品等のＩＣタグ被装着物に粘着層３１によって貼れるようにするためのものである。
【０００７】
図５は製本加工ラインにおける一般的なＩＣタグ読取書込装置とＩＣタグを本に取り付ける場合の例を示す説明図である。
図５（ａ）に示すように、製本された書籍１００は例えば５冊重ねられてコンベア１３０上を搬送され、ＩＣタグ・リーダ/ライタ部１１０に到達し、ＩＣタグに対する情報の読み書きが実施される。
【０００８】
図５（ｂ）〜（ｄ）は、書籍類へＩＣタグ１を取り付ける場合の取り付け位置の例を示す図である。
同図（ｂ）は、書籍１００−１の表紙１０１に、同図（ｃ）は、書籍１００−１内部のページ１０２に、同図（ｄ）は、書籍１００−１の背表紙１０３にＩＣタグ１５０−１を取り付けている。
【０００９】
図５（ｂ）、（ｃ）に示すように書籍１００の表紙１０１あるいはページ１０２にＩＣタグ１５０が取り付けられた書籍１００を、例えば５冊積み重ねた場合、５つのＩＣタグ１５０のアンテナパターン１１が重なり合ってしまうため、無線波の相互干渉が起き、ＩＣタグ１５０内の情報の読み出し/書き込みができない場合が生じる。すなわち、ＩＣタグ・リーダ/ライタ１１０をコンベアの上下左右、斜めなどの位置に工夫して設置しても、下から２冊目あるいは３冊目にある書籍１００のＩＣタグ１５０の読み出し率が低下するという問題がある。
また、図５（ｄ）のように背表紙１０３にＩＣタグ１５０を取り付ければ、ＩＣタグが重なることはないので、ＩＣタグ・リーダ/ライタ１１０による情報の読み取り/書き込みが可能になるが、外力によりＩＣチップ１５やアンテナパターン１１が破損しやすいという問題がある。
【００１０】
本発明は、このような問題に鑑みてなされたもので、その目的とするところは、積み重ねて載置された複数の書籍に取り付けられたＩＣタグの情報を精度良く読み取るＩＣタグ読取書込装置および製本加工装置を提供することにある。
【課題を解決するための手段】
【００１１】
前述した課題を解決するための第１の発明は、所定の同一位置にＩＣタグが取り付けられ、積み重ねて載置された複数の被検査物の情報を読み書きするＩＣタグ読取書込装置であって、ＩＣタグ・リーダ/ライタと、前記複数の被検査物を載置し、前記ＩＣタグ・リーダ/ライタに搬送するコンベアと、前記ＩＣタグ・リーダ/ライタの近傍に設けられ、前記コンベアの成す平面に対して傾きを持ち、前記複数の披検査物を、前記傾きによって相互にずらし積み重ねて載置する突き当て板と、を有することを特徴とするＩＣタグ読取書込装置である。
前記被検査物は、書籍類であることが望ましい。
【００１２】
ＩＣタグ・リーダ/ライタ近傍にコンベア面に対して傾きをもった突き当て板を設けることにより、コンベア上を搬送される積み重ねて載置された複数の被検査物、例えば書籍が、相互にずらされて積み重ねられ、ＩＣタグが各被検査物の所定の同一位置に取り付けられている場合であっても、ＩＣタグ・リーダ/ライタによって情報の読み書きを精度よく行うことが可能になる。
【００１３】
第２の発明は、所定の同一位置にＩＣタグが取り付けられ、積み重ねて載置された複数の被検査物の情報を読み書きするＩＣタグ読取書込方法であって、前記複数の被検査物を載置しコンベア上を搬送する工程と、積み重ねて載置された前記複数の被検査物を、突き当て板によって相互にずらし積み重ねて載置する工程と、相互にずらして積み重ねられた前記複数の被検査物に取り付けられたＩＣタグに対して情報の読み取り/書き込みを行う工程を有することを特徴とするＩＣタグ読取書込方法である。
【００１４】
第３の発明は、所定の同一位置にＩＣタグを取り付け、製本され、積み重ねて載置された印刷物の個々のＩＣタグに対して情報の読み書きを行い、所定の冊数ずつ束ねて包装する製本加工装置であって、前記ＩＣタグに対して情報の読み取り/書き込みを行うＩＣタグ・リーダ/ライタと、前記印刷物を複数積み重ねて載置し前記ＩＣタグ・リーダ/ライタに搬送するコンベアと、前記ＩＣタグ・リーダ/ライタの近傍に設けられ、前記コンベアの成す平面に対して傾きを持ち、複数積み重ねて載置された前記印刷物を、前記傾きによって相互にずらし積み重ねて載置する突き当て板と、を有することを特徴とする製本加工装置である。
【００１５】
製本加工装置は、印刷物のページの丁合を行い、表紙をつけ、裁断し、所定の冊数を重ねて束にして包装する一連の加工を行う装置である。ＩＣタグを所定の同一位置に取り付けた書籍の場合、束包装の前にＩＣタグの読み取り/書き込み処理を行う際、積み重ねられた書籍がコンベア上を搬送される段階で、コンベア面に対して傾きを持つ突き当て板をＩＣタグ・リーダ/ライタの傍に設置することにより、重ねられた複数の書籍が互いにずらされ、載置される。これにより、取り付けられた各書籍のＩＣタグ情報をＩＣタグ・リーダ/ライタで精度よく読み取ることが可能になる。
【００１６】
第４の発明は、所定の同一位置にＩＣタグを取り付け、製本され、積み重ねて載置された印刷物の個々のＩＣタグに対して情報の読み書きを行い、所定の冊数ずつ束ねて包装する製本加工方法であって、前記複数の印刷物を積み重ねて載置しコンベア上を搬送する工程と、積み重ねて載置された前記複数の印刷物を、突き当て板によって相互にずらし積み重ねて載置する工程と、相互にずらして積み重ねられた前記複数の印刷物に取り付けられた個々のＩＣタグに対して情報の読み取り/書き込みを行う工程を有することを特徴とする製本加工方法である。
【００１７】
本発明によれば、積み重ねて載置された複数の書籍に取り付けられたＩＣタグの情報を精度良く読み取るＩＣタグ読取書込装置および製本加工装置を提供することが可能になる。
【発明を実施するための最良の形態】
【００１８】
以下、図面に基づいて本発明の好適な実施形態について詳細に説明する。
図１は、本発明の実施例に係るＩＣタグ読取書込装置の構成を示す図である。同図〈ａ〉はＩＣタグ読取書込装置の平面図、同図（ｂ）は、同図（ａ）の方向Ｃ矢視図、同図（ｃ）は、同図（ａ）の方向Ｂ矢視図である。
【００１９】
図１（ａ）に示すように、積み重ねられた書籍５冊重ね１００がコンベア１３０上をＡ方向に搬送され、ＩＣタグ・リーダ/ライタ１１０に到達する。
ここで、ＩＣタグ・リーダ/ライタ１１０の傍に傾斜付き当てガイド１２０を設ける。この傾斜突き当てガイド１２０は、ＩＣタグ・リーダ/ライタ１１０が設置されている筐体に付設してもよいし、別に設けてもよい。
【００２０】
傾斜突き当てガイド１２０は、コンベア１３０が成す平面と鋭角の所定の角度θを保つように設置される。この角度θは書籍の大きさや厚さにより事前に設定すればよい。角度θは例えば４５°〜６０°程度にすればよい。
書籍５冊重ね１００がこの傾斜突き当てガイド１２０に達すると、書籍５冊重ね１００の一番上の書籍が傾斜突き当てガイド１２０に当たり、進行方向（Ａ方向）に進めなくなる。一方、書籍５冊重ね１００のそれ以外の書籍は、コンベア１３０の動きに従ってＡ方向に進み、上から２冊目が傾斜突き当てガイド１２０に当り止る。
【００２１】
以上の動作が繰り返されることにより、図１〈ａ〉の書籍５冊重ね１００’のように、１冊ずつ傾斜突き当てガイド１２０の角度によりずれて積み重なった状態になる。
この状態でＩＣタグ・リーダ/ライタ１１０によりＩＣタグの情報を読み出し/書き込むことにより、ＩＣタグ１５０のアンテナ干渉が発生せず、読み出し/書き込みを良好に行うことが可能になる。
【００２２】
図２は、積み重なった書籍内のＩＣタグ１５０の配置を説明する図である。この場合、ＩＣタグ１５０は、図５（ｃ）で示したように、書籍１００内のページ１０２の同一の位置に取り付けられている。
【００２３】
図２（ａ）は、きっちりと積み重ねられて載積された書籍５冊重ね１００について、同図（ｂ）は、傾斜突き当てガイド１２０によりずらして積み重ねられた書籍５冊重ね１００’についてのＩＣタグ１５０の配置を示している。
すなわち、図２（ａ）に示すように、書籍１００−１〜１００−５がきちっと重ねて積み上げられている場合には、それぞれのＩＣタグ１５０−１〜１５０−５もちょうど重なった状態になる。これらのＩＣタグ１５０−１〜１５０−５のアンテナパターン１１が上下に相互に重なり合い、アンテナの相互干渉が起こる。
【００２４】
一方、傾斜突き当てガイド１２０によりずらして積み重ねられた書籍５冊重ね１００’（１００’−１〜１００’−５）のＩＣタグ１５０’−１〜１５０’−５は、傾斜突き当てガイド１２０でずれた分だけずれて重なり合うことになる。
これにより、各ＩＣタグ１５０’−１〜１５０’−５のアンテナパターン１１での相互干渉の問題は解消あるいは改善されることになる。
【００２５】
傾斜突き当てガイド１２０の実現方法は種々あるが、例えば、コンベア１３０の面と直角を成す傾斜突き当てガイド１２０の上方の１辺を回転軸として回転可能に設置し、所定の値以上の力がコンベア１３０の進行方向にかかった場合に回転軸を中心に傾斜突き当てガイド１２０を上方に跳ね上げるようにすればよい。これにより、書籍５冊重ね１００’はコンベア１３０をさらに進行方向Ａに進むことが可能になる。
【００２６】
図３は、本実施の形態のＩＣタグ読取書込装置を組み込んだ製本加工ラインの工程例を示す図である。ここでは２冊を一括製本する２丁製本を例としている。
まず、本の前半９６ページ１４５と後半９６ページ１４７からなる印刷ユニット（１９２ページ分）１４３が製本加工ラインに搬入される（ステップ２００）。
【００２７】
次に、ＩＣタグ１５０がこの本に追加される。
すなわち、この製本加工ラインの外部で、例えばＩＣタグ付きのハガキ１４０を作成し、これを前述の印刷ユニット１４３とは別の別印刷１６ページ分１４１に貼り込み加工する。そして、前述の印刷ユニット１４３に追加丁合する（ステップ２０１）。
この処理により、ＩＣタグ１５０がハガキ１４０の所定の位置に取り付けられ、さらに、ＩＣタグ付きハガキ１４０が別印刷１４１の所定の位置に貼り込まれ、ＩＣタグ付きハガキ１４０付の別印刷１４１が印刷ユニット１４３と合わせる。
【００２８】
次に、以上で出来上がった１冊分の印刷物２つ（２丁）（１６０と１６０’）を相互に反転して重ねる（ステップ２０２）。これで２冊分が合わさったものが出来上がる。
次に、表紙を接着する側面に溝をつけるミーリング加工を施す（ステップ２０３）。これは表紙の接着力を増すための工程である。
【００２９】
次に、２冊分を表紙１６５でくるみ（ステップ２０４）、表紙を接着する。その後、中央部で裁断し（中裁断）、２冊に分割する（ステップ２０５）。これにより１冊の本１７０が完成する。本１７０には所定の位置にＩＣタグ１５０が取り付けられていることになる。
【００３０】
次に、１冊分の本１７０を５冊重ね（ステップ２０６）、コンベアの進行方向および進行方向と直角の２面を持つ突き当て板により５冊重ねの本（１００−１〜１００−５）を揃えて積み重ねて５部一緒に三方裁断を行う（ステップ２０７）。これにより所定の大きさの本１００が出来上がることになる。さらに、１冊ずつカバーを掛ける（ステップ２０８）。
【００３１】
以上で本１００が出来上がる。どの本も同一の位置にＩＣタグ１５０が綴じ込みのＩＣタグ付きハガキ１４０として組み込まれている。
次に、各本１００のＩＣタグ情報を読み取ったり、書き込んだりする処理を行う。この場合、通常、本は５冊重ね１００（１００−１〜１００−５）としてコンベア上を搬送されてくる。
よって、傾斜突き当てガイド１２０を擁したＩＣタグ・リーダ/ライタ１１０により、５冊重ねの本１００をずらし１００’の状態にし、ＩＣタグ・リーダ/ライタ１１０で情報の読み書きを行う（ステップ２０９）。
最後に、５冊重ねの本を１組として、３組を交互に重ね、例えばハトロン紙の帯による包装を行う（ステップ２１０）。以上のような工程で最後に１５部ずつ包装された本が出荷される。
【００３２】
尚、本発明は、前述した実施の形態に限定されるものではなく、種々の改変が可能であり、それらも、本発明の技術範囲に含まれる。例えば、傾斜突き当てガイド１２０の実現方法は上述の限りではない。また、本に組み込まれるＩＣタグ１５０もＩＣタグ付きハガキ１４０に限ることなく、通常のページへの取り付け、表紙あるいは裏表紙への取り付け等が考えられ、これも含む。
【図面の簡単な説明】
【００３３】
【図１】本実施の形態に係るＩＣタグ読取書込装置の説明図
【図２】重ねられた書籍のＩＣタグ配置を説明する図
【図３】製本ラインの例（２丁製本）を示す図
【図４】ＩＣタグの構造を示す図
【図５】従来のＩＣタグ読取書込装置を説明する図
【符号の説明】
【００３４】
１………ＩＣタグ
１１………アンテナパターン
１３………接点
１５………ＩＣチップ
１００………本
１１０……ＩＣタグ・リーダ/ライタ
１２０………傾斜突き当てガイド
１３０………コンベア
１４０………ＩＣタグ付きハガキ
１５０………ＩＣタグ
【図１】
2008158933.tif 000003
【図２】
2008158933.tif 000004
【図３】
2008158933.tif 000005
【図４】
2008158933.tif 000006
【図５】
2008158933.tif 000007